(57)【要約】      （修正有）【課題】挿通する穴や引っ掛ける部分がない対象物でも、任意の大きさの対象物でも保持することができ、対象物を保持したり、はずしたりすることが容易にできる。【解決手段】マグネットホルダー本体２と紐状弾性体４の組みあわせたマグネットホルダーで、マグネットホルダー本体２は、磁石１を有し、表面に、対象物６を保持する紐状弾性体４を嵌め込める溝３を一つ、又は、二つ有する物である。紐状弾性体４は、マグネットホルダー本体２の溝３に嵌め込む際、離脱を阻止できる係り止め手段５を、二つ設けることができる紐状弾性体４である。【選択図】図１
0003115146.tif 000002
【実用新案登録請求の範囲】
【請求項１】
磁石１を有し、対象物６を保持する紐状弾性体４を嵌め込める溝３を、表面に、一つ又は、二つ有したマグネットホルダー本体２。
【請求項２】
マグネットホルダー本体２の溝３に嵌め込んだ際に、離脱を阻止できる、係り止め手段５を、一つ若しくは、二つ有している、又は、係り止め手段５を、二つ設けることができる、紐状弾性体４と、請求項１記載のマグネットホルダー本体２と、の組み合わせからなる、対象物６を保持して磁性体に磁着できるマグネットホルダー。
【考案の詳細な説明】
【技術分野】
【０００１】
この考案は、文房具、台所用品、雑貨などを、磁性体に磁着させるマグネットホルダーに関する。
【背景技術】
【０００２】
従来のマグネットホルダーは、任意の大きさの対象物６を保持するための、数段階の長さ調節ができるバンドが、取り付けられたマグネットホルダーがあった。（例えば、実用新案文献１参照。)。
【０００３】
また、ボールチェーンや連結金具で、任意の大きさの対象物６を保持するマグネットホルダーがあった。（例えば、特許文献１参照。)。
【０００４】
ボールチェーンや連結金具が、取り付けてあるマグネットホルダーは、ボールチェーンや連結金具で、対象物６の挿通する穴や、引っ掛かる部分に、密着しない状態で取り付けて使用していた。また、マグネットホルダー任意の大きさの対象物６を保持する方法には、マジックテープ（登録商標）や、粘着テープで対象物６を保持する方法がある。
【特許文献１】実開昭和５４−００８０６９号公報
【特許文献２】特開２００２−０２８０６６公報
【考案の開示】
【考案が解決しようとする課題】
【０００５】
従来の、数段階の長さ調節ができるバンドが取り付けられたマグネットホルダーは、任意の大きさの対象物６を保持でき、対象物６の保持と、対象物６の保持の解除が容易にできる、しかし、バックルの一部分を、バンドの穴に入れて係り止めしているので、バンドの穴に入っているバックルの一部分で、バンドの穴の位置が移動する。そのため、対象物６の長さにバンドを調節しても、対象物６を保持する際に、長さが変わるので、対象物６とマグネットホルダーが密着しなかった、従って、引っ掛ける部分がない対象物６を保持することができなかった。また数段階の長さ調節はできるが、任意の大きさに対応するにはバンドを切断して調節する必要があった。
【０００６】
また、連結金具やボールチェーンで対象物６を保持するマグネットホルダーでも、対象物６とマグネットホルダーが密着しないため、挿通する穴や引っ掛ける部分がない対象物６を保持することができなかった。
【０００７】
マグネットホルダーで、任意の大きさの対象物６を保持する方法には、マジックテープ（登録商標）（登録商標）を使用する方法があり対象物６の保持と、対象物６の保持の解除が容易にできる、しかし、一般的な油性ペンなどの、大きい対象物６を保持する長さのマジックテープ（登録商標）（登録商標）だと、一般的なハサミの持ち手の部分などの、小さい対象物６を保持する際に、余分な長さのマジックテープ（登録商標）が、マグネットホルダーを周回してしまい、マグネットホルダーとして磁性体に磁着することができない。反対に、一般的なハサミの持ち手の部分などの、小さい対象物６を保持する長さのマジックテープ（登録商標）だと、一般的な油性ペンなどの、大きい対象物６を保持することができない。このように、マジックテープ（登録商標）ではある大きさの対象物６と違う大きさの対象物６とを、容易にとりかえて保持することはできなかった。
【０００８】
また、マジックテープ（登録商標）の結びつきを、対象物６が保持できる強さにするには、マジックテープ（登録商標）の幅を太くする必要があり、マジックテープ（登録商標）は厚さ約２ミリメートルあるので、保持している対象物６を使用する際に、かさばり使いにくく美観もよくなかった。
【０００９】
そして、マジックテープ（登録商標）では、対象物６を保持する力が弱く、対象物６を繰り返し使用していると保持する位置や方向がずれ、磁性体に磁着している対象物６を使用する際に使いにくい。さらに、マジックテープ（登録商標）が取り付けられているマグネットホルダーでは、対象物６をとりかえて保持する際に、対象物６の色にマジックテープ（登録商標）の色が対応できなく美観がよくなかった。
【００１０】
また、マグネットホルダーで、任意の大きさの対象物６を保持する方法には、粘着テープを使用する方法がある、しかし、一般的な油性ペンなどの、大きい対象物６を保持する長さの粘着テープだと、一般的なハサミの持ち手の部分などの、小さい対象物６を保持する際に、余分な長さの粘着テープがマグネットホルダーを周回してしまい、マグネットホルダーとして磁着力が弱くなる、また、粘着テープの余分な部分は美観をそこねてしまう。反対に、一般的なハサミの持ち手の部分などの、小さい対象物６を保持する長さの粘着テープだと、一般的な油性ペンなどの、大きい対象物６を保持することができない。このように、ある大きさの対象物６と違う大きさの対象物６とを、容易にとりかえて保持することは困難である。
【００１１】
また、粘着テープは、対象物６の保持と、対象物６の保持の解除を繰り返すと、粘着力が弱くなり、対象物６を保持することが困難になる、そして、粘着テープでは、マグネットホルダーとして磁性体に磁着させる際に、対象物６を保持する位置や方向の修正が困難である。さらに、粘着テープが取り付けられているマグネットホルダーでは、対象物６をとりかえて保持する際に、対象物６の色に粘着テープの色が対応できなく美観がよくなかった。
【００１２】
この考案が解決しようとする課題は、任意の大きさの対象物６が保持でき、対象物６の保持と、対象物６の保持の解除が容易にでき、ある大きさの対象物６と、ちがう大きさの対象物６と、を容易に取り換えて保持することができるマグネットホルダーを提供する点にある。また、対象物６を保持する位置や方向を容易に修正でき、対象物６を密着して保持でき、挿通する穴や引っ掛ける部分がない対象物６でも保持できるマグネットホルダーを提供する点にある。さらに、対象物６の美観をそこなわない大きさで形成でき、紐状弾性体４の色が対象物６の色に対応できるマグネットホルダーを提供する点にある。
【課題を解決するための手段】
【００１３】
請求項１記載の考案は、磁石１を有したマグネットホルダー本体２の、表面に、対象物６を保持する紐状弾性体４を嵌め込める溝３を、一つ、又は、二つ有することを特徴とするマグネットホルダー本体２である。
【００１４】
請求項２記載の考案は、紐状弾性体４と、前記マグネットホルダー本体２と、を組み合わせることで、対象物６を保持できることを特徴とするマグネットホルダーである。
【００１５】
上記の紐状弾性体４は、マグネットホルダー本体２の溝３に嵌め込む際に、離脱を阻止できる、係り止め手段５を、一つ若しくは、二つ有している、又は、係り止め手段５を二つ設けることができる、ことを特徴とする紐状弾性体４である。
【００１６】
本考案のマグネットホルダーで対象物６を保持するときは、紐状弾性体４の一端に、係り止め手段５を設け、紐状弾性体４の一端を、マグネットホルダー本体２の溝３に嵌め込んで係り止めする。次に、紐状弾性体４の他端を、対象物６に周回又は、挿通させ、紐状弾性体４の他端に係り止め手段５を設け、紐状弾性体４の他端を、マグネットホルダー本体２の溝３に嵌め込んで対象物６を保持し、対象物６を保持したマグネットホルダーを磁性体に磁着させる。
【００１７】
紐状弾性体４を、溝３に嵌め込んだり、溝３から離脱させたりすることで、対象物６の保持と、対象物６の保持の解除が容易にできる。
【００１８】
また、紐状弾性体４は、任意の位置に、係り止め手段５を設けられるため、任意の大きさの対象物６対象物６が保持でき、ある大きさの対象物６と、ちがう大きさの対象物６と、容易に取り換えて保持することができ、対象物６を保持している際に、紐状弾性体４が伸縮するので、挿通する穴や引っ掛ける部分がない対象物６でも、対象物６を密着して保持することができ、紐状弾性体４が伸縮により、適度に結びついているので、対象物６の保持する位置や方向を修正できる。
【００１９】
さらに、紐状弾性体４を取りかえることで、対象物６の色に対応することができ、マグネットホルダー本体２は、構造が単純なため、対象物６の美観をそこなわない大きさで形成できる。
【考案の効果】
【００２０】
この考案に係るマグネットホルダーは、挿通する穴や引っ掛ける部分がない対象物６でも、任意の大きさの対象物６でも保持することができ、対象物６を保持したり、対象物６の保持の解除をすることが容易にできる。
【００２１】
また、この考案に係るマグネットホルダーは、対象物６を密着して保持することができるので、対象物６を使用する際にも使いやすく。ある大きさの対象物６と、ちがう大きさの対象物６と、を容易に取り換えて保持することができる。
【００２２】
さらに、この考案に係るマグネットホルダーは、対象物６の美観をそこなわない大きさで形成でき、紐状弾性体４が対象物６の色に対応できる、そして、対象物６を保持する方向が容易に修正でき、利便性のために対象物６を磁性体に磁着させる方向を修正できる。
【考案を実施するための最良の形態】
【００２３】
以下、図面を参照しながらこの考案の実施の形態について説明する。
【００２４】
磁石１は希土類磁石１を使用している。
【００２５】
溝３とは、紐状弾性体４を嵌め込める幅で、マグネットホルダー本体２の前方から後方に紐状弾性体４を通せる空洞の部分である。
【００２６】
紐状弾性体４はゴム紐である。
【００２７】
係り止め手段５は、溝３に紐状弾性体４を嵌め込んだ際に、溝３からの離脱を阻止できる、溝３の幅より大きい形状の物である。
【実施例１】
【００２８】
本考案の実施例１を図１に基づいて説明する。マグネットホルダー本体２は磁石１を有している、マグネットホルダー本体２の磁着面に、紐状弾性体４を嵌め込む入り口の部分となる溝３があり、溝３はマグネットホルダー本体２の底面方向に向かっている。
【００２９】
対象物６を保持する方法は、対象物６を保持できる長さの紐状弾性体４の一端に、係り止め手段５を設け、紐状弾性体４の一端を、溝３に嵌め込み、紐状弾性体４の一端を溝３に係り止めする。
【００３０】
次に、紐状弾性体４の他端を、対象物６に周回又は、挿通させ、紐状弾性体４の他端に係り止め手段５を設け、紐状弾性体４の他端を、溝３に嵌め込んで対象物６を保持する。そして、対象物６を保持したマグネットホルダーを磁性体に磁着させる。
【００３１】
マグネットホルダー本体２の溝３に嵌め込んだ紐状弾性体４を、溝３から離脱させることで対象物６の保持を解除する。
【実施例２】
【００３２】
本考案の実施例２を図２に基づいて説明する。マグネットホルダー本体２は磁石１を有している、マグネットホルダー本体２の磁着面に、紐状弾性体４を嵌め込む入り口の部分となる溝３が二つあり、溝３はマグネットホルダー本体２の底面方向に向かっている。
【００３３】
対象物６を保持する方法は、対象物６を保持できる長さの紐状弾性体４の一端に、係り止め手段５を設け、紐状弾性体４の一端を、マグネットホルダー本体２の二つある溝３の一方に嵌め込み、紐状弾性体４の一端を、一方の溝３に係り止めする。
【００３４】
次に、紐状弾性体４の他端を、対象物６に周回又は挿通させ、紐状弾性体４の他端に係り止め手段５を設け、紐状弾性体４の他端を、マグネットホルダー本体２の他方の溝３に嵌め込んで、対象物６を保持する。そして、対象物６を保持したマグネットホルダーを磁性体に磁着させる。
【００３５】
マグネットホルダー本体２の溝３に嵌め込んだ紐状弾性体４を、溝３から離脱させることで対象物６の保持を解除する。
【００３６】
溝３を二つにして、溝３を長くしたことで、紐状弾性体４を重ねて嵌め込むことができるので、紐状弾性体４が対象物６を周回できる回数を増やし、対象物６を保持する密着力を強めることができる。
【実施例３】
【００３７】
本考案の実施例３を図３に基づいて説明する。マグネットホルダー本体２は磁石１を有している、ホルダー本体の磁着面に紐状弾性体４を嵌め込む入り口の部分となる溝３がある、溝３はマグネットホルダー本体２の底面方向に向かっている、そして、底面方向に向かっている溝３は途中で一方の側面に向かってまがっている。
【００３８】
対象物６を保持する方法は、対象物６を保持できる長さの紐状弾性体４の一端に、係り止め手段５を設け、紐状弾性体４の一端を、溝３に嵌め込み、紐状弾性体４の一端を溝３に係り止めする。
【００３９】
次に、紐状弾性体４の他端を、対象物６に周回又は、挿通させ、紐状弾性体４の他端に係り止め手段５を設け、紐状弾性体４の他端を、溝３に嵌め込んで対象物６を保持する。そして、対象物６を保持したマグネットホルダーを磁性体に磁着させる。
【００４０】
紐状弾性体４を、溝３に嵌め込んだり、溝３から離脱させたりすることで、対象物６の保持と、対象物６の保持の解除が容易にできる。
【００４１】
マグネットホルダー本体２の溝３、を曲げて長くしたことで、紐状弾性体４を重ねて嵌め込むことができるので、紐状弾性体４が対象物６を周回できる回数を増やし、対象物６を保持する密着力を強めることができる。
【実施例４】
【００４２】
本考案の実施例４を図５に基づいて説明する。マグネットホルダー本体２は磁石１を有している、マグネットホルダー本体２の一方の側面に、紐状弾性体４を嵌め込む入り口の部分である溝３がある、溝３はマグネットホルダー本体２の他方の側面方向に向かっていて、側面方向に向かっている溝３は途中で底面方向に曲がっている。
【００４３】
対象物６を保持する方法は、対象物６を保持できる長さの紐状弾性体４の一端に、係り止め手段５を設け、紐状弾性体４の一端を、溝３に嵌め込み、紐状弾性体４の一端を溝３に係り止めする。
【００４４】
次に、紐状弾性体４の他端を、対象物６に周回又は、挿通させ、紐状弾性体４の他端に係り止め手段５を設け、紐状弾性体４の他端を、溝３に嵌め込んで対象物６を保持する。そして、対象物６を保持したマグネットホルダーを磁性体に磁着させる。
【００４５】
紐状弾性体４を、溝３に嵌め込んだり、溝３から離脱させたりすることで、対象物６の保持と、対象物６の保持の解除が容易にできる。
【００４６】
紐状弾性体４の入り口の部分である、溝３を側面につけて、対象物６を保持して使用する際に、よく目にする磁着面の美観をよくし、マグネットホルダー本体２の溝３を、曲げて長くしたことで、紐状弾性体４を重ねて嵌め込むことができるので、紐状弾性体４が対象物６を周回できる回数を増やし、対象物６を保持する密着力を強めることができる。
【実施例５】
【００４７】
本考案の実施例５を図６に基づいて説明する。マグネットホルダー本体２は磁石１を有している、マグネットホルダー本体２の一方の側面に、一つ目の紐状弾性体４を嵌め込む入り口の部分の溝３がある、溝３はマグネットホルダー本体２の他方の側面方向に向かっていて、途中で底面方向に曲がっている、そして、他方の側面に、二つ目の紐状弾性体４を嵌め込む入り口の部分の溝３がある、溝３は一方の側面方向に向かっていて、途中で底面方向に曲がっている。
【００４８】
対象物６を保持する方法は、対象物６を保持できる長さの紐状弾性体４の一端に、係り止め手段５を設け、紐状弾性体４の一端を、マグネットホルダー本体２の、二つある溝３の一方に嵌め込み、紐状弾性体４の一端を、溝３に係り止めする。
【００４９】
次に、紐状弾性体４の他端を、対象物６に周回又は挿通させ、紐状弾性体４の他端に係り止め手段５を設け、紐状弾性体４の他端を、マグネットホルダー本体２の他方の溝３に嵌め込んで、対象物６を保持する。そして、対象物６を保持したマグネットホルダーを磁性体に磁着させる。
【００５０】
マグネットホルダー本体２の溝３に嵌め込んだ紐状弾性体４を、溝３から離脱させることで対象物６の保持を解除する。
【００５１】
紐状弾性体４の入り口の部分である、溝３を側面につけて、対象物６を保持して使用する際に、よく目にする磁着面の美観をよくし、マグネットホルダー本体２の溝３を、二つにして曲げ長くしたことで、紐状弾性体４を重ねて嵌め込むことができるので、紐状弾性体４が対象物６を周回できる回数を増やし、対象物６を保持する密着力を強めることができる。
【実施例６】
【００５２】
本考案の実施例６を図７に基づいて説明する。マグネットホルダー本体２は磁石１を有している、マグネットホルダー本体２の一方の側面に、紐状弾性体４を嵌め込む入り口の部分の溝３がある、溝３はマグネットホルダー本体２の他方の側面方向に向かっていて、他方の側面方向に向かっている溝３は途中で底面方向に曲がっている、そして、底面方向に向かっている溝３は途中で他方の側面方向に曲がっている
【００５３】
対象物６を保持する方法は、対象物６を保持できる長さの紐状弾性体４の一端に、係り止め手段５を設け、紐状弾性体４の一端を、溝３に嵌め込み、紐状弾性体４の一端を溝３に係り止めする。
【００５４】
次に、紐状弾性体４の他端を、対象物６に周回又は、挿通させ、紐状弾性体４の他端に係り止め手段５を設け、紐状弾性体４の他端を、溝３に嵌め込んで対象物６を保持する。そして、対象物６を保持したマグネットホルダーを磁性体に磁着させる。
【００５５】
紐状弾性体４を、溝３に嵌め込んだり、溝３から離脱させたりすることで、対象物６の保持と、対象物６の保持の解除が容易にできる。
【００５６】
紐状弾性体４の入り口の部分である、溝３を側面につけて、対象物６を保持して使用する際に、よく目にする磁着面の美観をよくし、マグネットホルダー本体２の溝３を、曲げて長くしたことで、紐状弾性体４を重ねて嵌め込むことができるので、紐状弾性体４が対象物６を周回できる回数を増やし、対象物６を保持する密着力を強めることができる。
【００５７】
なお、実施の形態の磁石１は希土類磁石１であるが、本考案の磁石１は、種類を問わずに適用できる。
【００５８】
また、実施の形態の紐状弾性体４はゴム紐であるが、本考案の紐状弾性体４は、ゴムでも適用できる。
【００５９】
また、係り止め手段５は、紐状弾性体４に結び目を作ることでも容易に形成できる。
【００６０】
また、実施の形態の対象物６を保持する方法は、係り止め手段５を設けてない紐状弾性体４の、対象物６を保持する方法であるが、係り止め手段５を一つ有している紐状弾性体４には、係り止め手段５を設ける手間は、一回だけ必要であり、係り止め手段５を二つ有している紐状弾性体４には、係り止め手段５を設ける手間は必要ない。
【００６１】
また、上記で説明してきた、マグネットホルダーの対象物６を保持する方法は、標準的な方法であり、対象物６を保持する力を強めたいときは、対象物６を任意の回数、周回又は、挿通できる長さの紐状弾性体４を用意し、紐状弾性体４の一端に、係り止め手段５を設け、紐状弾性体４の一端を、マグネットホルダー本体２の溝３に嵌め込み、紐状弾性体４の一端を、溝３に係り止めする。次に、任意の回数繰り返す手順として、紐状弾性体４の他端を対象物６に周回又は、挿通させ、紐状弾性体４の途中部分を溝３に嵌め込む、という手順を任意の回数、繰り返す、そして、紐状弾性体４の他端を、対象物６を周回又は、挿通させ、紐状弾性体４の他端に係り止め手段５を設け、紐状弾性体４の他端を溝３に嵌め込み係り止して、保持する力を強める。
【００６２】
さらに、本考案のマグネットホルダーは、対象物６の美観を損なわない大きさなので、文房具や台所用品以外に、キャラクターグッズを保持すると、キャラクターグッズをオリジナルマグネットとしてつかえるようになる。
【図面の簡単な説明】
【００６３】
【図１】実施例１のマグネットホルダー本体と紐状弾性体４の斜視図である。
【図２】実施例２のマグネットホルダー本体と紐状弾性体４の斜視図である。
【図３】実施例３のマグネットホルダー本体と紐状弾性体４の斜視図である。
【図４】図３とは、溝が反対に曲がっている実施例３のマグネットホルダー本体と紐状弾性体の  である。
【図５】実施例４のマグネットホルダー本体の斜視図である。
【図６】実施例５のマグネットホルダー本体の斜視図である。
【図７】実施例６のマグネットホルダー本体の斜視図である。
【図８】実施例１のマグネットホルダーが対象物を保持してる斜視図である。
【図９】実施例３のマグネットホルダーが対象物を保持してる斜視図である。
【図１０】図１０とは、溝が反対に曲がっている実施例３のマグネットホルダーが対象物を保持してる斜視図である。
【図１１】キャラクターグッズなどの対象物を保持したマグネットホルダーの斜視図である。
【図１２】対象物を保持したマグネットホルダーを磁性体に時着している斜視図である。
【符号の説明】
【００６４】
１  磁石
２  マグネットホルダー本体
３  溝
４  紐状弾性体
５  係り止め手段
６  対象物
【図１】
0003115146.tif 000003
【図２】
0003115146.tif 000004
【図３】
0003115146.tif 000005
【図４】
0003115146.tif 000006
【図５】
0003115146.tif 000007
【図６】
0003115146.tif 000008
【図７】
0003115146.tif 000009
【図８】
0003115146.tif 000010
【図９】
0003115146.tif 000011
【図１０】
0003115146.tif 000012
【図１１】
0003115146.tif 000013
【図１２】
0003115146.tif 000014